【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
ＵＳＢ３．０レセプタクルを介してユニバーサル・シリアル・バス（ＵＳＢ）デバイスにアクセスするための集積回路であって、
複数のリードによって前記ＵＳＢ３．０レセプタクルに結合されている複数のピンを含み、該複数のピンが、
前記ＵＳＢデバイスのＵＳＢ２．０信号に対応する前記ＵＳＢ３．０レセプタクルの第１の差動ピン対に結合される第１のグループと、
前記ＵＳＢデバイスからＵＳＢ３．０信号を受信する前記ＵＳＢ３．０レセプタクルの第２の差動ピン対に結合される第２のグループと、
前記ＵＳＢデバイスへＵＳＢ３．０信号を送信する前記ＵＳＢ３．０レセプタクルの第３の差動ピン対に結合される第３のグループと、
前記第２のグループ及び前記第３のグループの間に配置された接地ピンとを含み、かつ前記第２のグループが、前記第１のグループと前記第３のグループの間に配置されており、
当該集積回路がさらに、
前記第１のグループに隣接配置された第１の電源ピン、
前記第３のグループに隣接配置された第２の電源ピン、及び
前記ＵＳＢ２．０信号及びＵＳＢ３．０信号を受信または送信するために前記複数のピンを制御する制御ユニットを含むことを特徴とする集積回路。
【請求項２】
前記第１のグループが、
前記ＵＳＢ３．０レセプタクルのＤ−ピンに結合されている第１のピンと、
前記ＵＳＢ３．０レセプタクルのＤ＋ピンに結合されている第２のピンとを含むことを特徴とする請求項１の集積回路。
【請求項３】
前記第２のグループが、
前記ＵＳＢ３．０レセプタクルのＳＳＴＸ−ピンに結合されている第３のピンと、
前記ＵＳＢ３．０レセプタクルのＳＳＴＸ＋ピンに結合されている第４のピンとを含み、前記第３のピンが、前記第２のピンと前記第４のピンの間に配置されていることを特徴とする請求項２の集積回路。
【請求項４】
前記第３のグループが、
前記ＵＳＢ３．０レセプタクルのＳＳＴＸ−ピンに結合されている第５のピンと、
前記ＵＳＢ３．０レセプタクルのＳＳＴＸ＋ピンに結合されている第６のピンとを含み、前記第５のピンが、前記第４のピンと前記第６のピンの間に配置されていることを特徴とする請求項３の集積回路。
【請求項５】
前記第３のグループが、
前記ＵＳＢ３．０レセプタクルのＳＳＴＸ＋ピンに結合されている第５のピンと、
前記ＵＳＢ３．０レセプタクルのＳＳＴＸ−ピンに結合されている第６のピンとを含み、前記第５のピン、前記第４のピンと前記第６のピンの間に配置されていることを特徴とする請求項３の集積回路。
【請求項６】
前記第２のグループが、
前記ＵＳＢ３．０レセプタクルのＳＳＴＸ＋ピンに結合されている第３のピンと、
前記ＵＳＢ３．０レセプタクルのＳＳＴＸ−ピンに結合されている第４のピンとを含み、前記第３のピンが、前記第２のピンと前記第４のピンの間に配置されていることを特徴とする請求項２の集積回路。
【請求項７】
前記第３のグループが、
前記ＵＳＢ３．０レセプタクルのＳＳＴＸ＋ピンに結合されている第５のピンと、
前記ＵＳＢ３．０レセプタクルのＳＳＴＸ−ピンに結合されている第６のピンとを含み、前記第５のピンが、前記第４のピンと前記第６のピンの間に配置されていることを特徴とする請求項６の集積回路。
【請求項８】
前記第３のグループが、
前記ＵＳＢ３．０レセプタクルのＳＳＴＸ−ピンに結合されている第５のピンと、
前記ＵＳＢ３．０レセプタクルのＳＳＴＸ＋ピンに結合されている第６のピンとを含み、前記第５のピンが、前記第４のピンと前記第６のピンの間に配置されていることを特徴とする請求項６の集積回路。
【請求項９】
前記ＵＳＢ３．０レセプタクルが、Standard-Aレセプタクル、Standard-Bレセプタクル、Micro-ABレセプタクルまたはMicro-Bレセプタクルであることを特徴とする請求項１の集積回路。
【請求項１０】
複数のＵＳＢ３．０レセプタクルを介して複数のユニバーサル・シリアル・バス（ＵＳＢ）デバイスにアクセスするための特定のパッケージ内に配置されている集積回路であって、
前記特定のパッケージの互いに異なる側面上に各々一列に配置され、かつ前記複数のＵＳＢ３．０レセプタクルのうちの１つのレセプタクルに各々結合された複数のピングループを含み、各ピングループが、
前記複数のＵＳＢデバイスのうちの１つのデバイスのＵＳＢ２．０信号に対応する、前記複数のＵＳＢ３．０レセプタクルのうちの１つのレセプタクルの第１の差動ピン対に結合される第１のサブグループと、
前記複数のＵＳＢデバイスのうちの１つのデバイスのＵＳＢ３．０信号に対応する、前記複数のＵＳＢ３．０レセプタクルのうちの１つのレセプタクルの第２の差動ピン対に結合される第２のサブグループと、
前記複数のＵＳＢデバイスのうちの１つのデバイスのＵＳＢ３．０信号に対応する、前記複数のＵＳＢ３．０レセプタクルのうちの１つのレセプタクルの第３の差動ピン対に結合される第３のサブグループとを含み、かつ前記第２のサブグループが、前記第１のサブグループと前記第３のサブグループの間に配置されており、
当該集積回路がさらに、
前記第１、第２及び第３の差動ピン対で信号を受信または送信するために前記複数のピングループのうちの１つのピングループを各々制御する複数の制御ユニットを含み、
前記複数のＵＳＢ３．０レセプタクルのうちの１つが、Standard-Aレセプタクル、Standard-Bレセプタクル、Micro-ABレセプタクルまたはMicro-Bレセプタクルであることを特徴とする集積回路。
【請求項１１】
前記特定のパッケージがクワッド・フラット・ノーリード（ＱＦＮ）パッケージまたはロープロファイル・クワッド・フラット（ＬＱＦＰ）パッケージであることを特徴とする請求項１０の集積回路。
【請求項１２】
前記第１のサブグループが、
前記複数のＵＳＢ３．０レセプタクルのうちの１つのレセプタクルのＤ−ピンに結合されている第１のピンと、
前記複数のＵＳＢ３．０レセプタクルのうちの１つのレセプタクルのＤ＋ピンに結合されている第２のピンとを含むことを特徴とする請求項１０の集積回路。
【請求項１３】
前記第２のサブグループが、
前記複数のＵＳＢ３．０レセプタクルのうちの１つのレセプタクルのＳＳＴＸ−ピンに結合されている第３のピンと、
前記複数のＵＳＢ３．０レセプタクルのうちの１つのレセプタクルのＳＳＴＸ＋ピンに結合されている第４のピンとを含み、前記第３のピンが、前記第２のピンと前記第４のピンの間に配置されていることを特徴とする請求項１２の集積回路。
【請求項１４】
前記第３のサブグループが、
前記複数のＵＳＢ３．０レセプタクルのうちの１つのレセプタクルのＳＳＴＸ−ピンに結合されている第５のピンと、
前記複数のＵＳＢ３．０レセプタクルのうちの１つのレセプタクルのＳＳＴＸ＋ピンに結合されている第６のピンとを含み、前記第５のピンが、前記第４のピンと前記第６のピンの間に配置されていることを特徴とする請求項１３の集積回路。
【請求項１５】
前記第３のサブグループが、
前記複数のＵＳＢ３．０レセプタクルのうちの１つのレセプタクルのＳＳＴＸ＋ピンに結合されている第５のピンと、
前記複数のＵＳＢ３．０レセプタクルのうちの１つのレセプタクルのＳＳＴＸ−ピンに結合されている第６のピンとを含み、前記第５のピンが、前記第４のピンと前記第６のピンの間に配置されていることを特徴とする請求項１３の集積回路。
【請求項１６】
前記第２のサブグループが、
前記複数のＵＳＢ３．０レセプタクルのうちの１つのレセプタクルのＳＳＲＸ＋ピンに結合されている第３のピンと、
前記複数のＵＳＢ３．０レセプタクルのうちの１つのレセプタクルのＳＳＴＸ−ピンに結合されている第４のピンとを含み、前記第３のピンが、前記第２のピンと前記第４のピンの間に配置されていることを特徴とする請求項１２の集積回路。
【請求項１７】
前記第３のサブグループが、
前記複数のＵＳＢ３．０レセプタクルのうちの１つのレセプタクルのＳＳＴＸ＋ピンに結合されている第５のピンと、
前記複数のＵＳＢ３．０レセプタクルのうちの１つのレセプタクルのＳＳＴＸ−ピンに結合されている第６のピンとを含み、前記第５のピンが、前記第４のピンと前記第６のピンの間に配置されていることを特徴とする請求項１６の集積回路。
【請求項１８】
前記第３のサブグループが、
前記複数のＵＳＢ３．０レセプタクルのうちの１つのレセプタクルのＳＳＴＸ−ピンに結合されている第５のピンと、
前記複数のＵＳＢ３．０レセプタクルのうちの１つのレセプタクルのＳＳＴＸ＋ピンに結合されている第６のピンとを含み、前記第５のピンが、前記第４のピンと前記第６のピンの間に配置されていることを特徴とする請求項１６の集積回路。
【請求項１９】
前記各ピングループが、
前記第２のサブグループ及び前記第３のサブグループの間に配置された接地ピンと、
前記第１のサブグループに隣接配置された第１の電源ピンと、
前記第３のサブグループに隣接配置された第２の電源ピンとをさらに含むことを特徴とする請求項１０の集積回路。
【請求項２０】
前記各ピングループが、前記複数のＵＳＢ３．０レセプタクルのうちの１つのレセプタクルの接地信号線に結合されるように構成されており、
前記第１及び第２の電源ピンが、前記複数の制御ユニットのうちの１つに対して互いに異なる作動電圧を提供するように構成されていることを特徴とする請求項１９の集積回路。
【請求項２１】
前記各ピングループが、前記ＵＳＢ３．０レセプタクルの接地信号線に結合されるように構成されており、
前記第１及び第２の電源ピンが、前記制御ユニットに対して互いに異なる作動電圧を提供するように構成されていることを特徴とする請求項１の集積回路。